(57)【要約】【課題】後処理装置に記録媒体を搬送するための記録媒体搬送装置において、詰まった記録媒体の除去作業を行うための十分なスペースを確保できる開閉機構を備える記録媒体搬送装置を提供する。【解決手段】中継ユニット３０は、複合機本体で画像形成されてフィニッシャへ搬送される記録紙をガイドするためのガイド面を有する上ガイド部３１と、上ガイド部３１のガイド面に対面するガイド面を有する下ガイド部３２と、を備える。また、中継ユニット３０は、下側に配置される下ガイド部３２が、装置正面側に引き出されるように高さを異ならせて姿勢を保ったまま略平行にスライド移動することで中継ユニット３０の内部を開閉可能な開閉機構３４を備える。【選択図】図４
2010023942.tif 000002
【特許請求の範囲】
【請求項１】
画像形成装置で画像形成されて後処理装置へ搬送される記録媒体を案内するためのガイド面を有する第１ガイド部と、
前記第１ガイド部の前記ガイド面に対面するガイド面を有する第２ガイド部と、
前記第１ガイド部及び前記第２ガイド部の少なくとも何れか一方を、姿勢を保ったまま略平行にスライド移動させることで記録媒体搬送装置の内部を開閉可能な開閉機構と、
を備えることを特徴とする記録媒体搬送装置。
【請求項２】
請求項１に記載の記録媒体搬送装置であって、
前記第１ガイド部及び前記第２ガイド部は、前記記録媒体の搬送経路を上下方向に挟むように配置されており、
前記第１ガイド部及び前記第２ガイド部の少なくとも何れか一方は、高さを異ならせるようにスライド移動できることを特徴とする記録媒体搬送装置。
【請求項３】
請求項２に記載の記録媒体搬送装置であって、
前記第１ガイド部及び前記第２ガイド部が取り付けられる本体を備え、
前記第１ガイド部及び前記第２ガイド部の少なくとも何れか一方は、高さが異なるようにスライド移動するとともに、装置正面側に前記本体から引き出されるように移動することを特徴とする記録媒体搬送装置。
【請求項４】
請求項３に記載の記録媒体搬送装置であって、
前記第１ガイド部及び前記第２ガイド部のうち少なくとも下側に配置されるガイド部が装置正面側に引き出されることを特徴とする記録媒体搬送装置。
【請求項５】
請求項４に記載の記録媒体搬送装置であって、
下側に配置されるガイド部を引き出した状態で、当該ガイド部の姿勢を前下がりに傾斜させることが可能に構成されることを特徴とする記録媒体搬送装置。
【請求項６】
請求項１から４までの何れか一項に記載の記録媒体搬送装置であって、
前記第１ガイド部及び前記第２ガイド部のうち前記スライド移動させるガイド部であるスライドガイド部を支持するフレームを備え、
前記スライドガイド部は、記録媒体搬送方向の上流側端部及び下流側端部にそれぞれ複数配置される支持軸を有し、
前記フレームには、同一形状のスライド溝が前記支持軸に対応して複数形成されることを特徴とする記録媒体搬送装置。
【請求項７】
請求項１から６までの何れか一項に記載の記録媒体搬送装置であって、
前記第１ガイド部は、前記記録媒体を搬送するための駆動ローラを有し、
前記第２ガイド部は、前記駆動ローラに対向配置される従動ローラを有し、
前記開閉機構は、固定側の前記第１ガイド部に対し前記第２ガイド部をスライド移動させることで記録媒体搬送装置の内部を開閉することを特徴とする記録媒体搬送装置。
【請求項８】
請求項１から７までの何れか一項に記載の記録媒体搬送装置であって、
前記ガイド部のスライド移動の経路中に配置される凸部を備え、
前記凸部は、記録媒体搬送装置の内部を開放した状態で前記ガイド部を保持可能に構成されていることを特徴とする記録媒体搬送装置。
【請求項９】
請求項１から８までの何れか一項に記載の記録媒体搬送装置であって、
前記第１ガイド部及び前記第２ガイド部のうち前記スライド移動させるガイド部に接続されるバネを備え、
前記バネは前記ガイド部を、記録媒体を搬送するときの使用位置に向けて付勢することを特徴とする記録媒体搬送装置。
【請求項１０】
画像形成装置で画像形成された記録媒体を入口部を介して導入し、出口部から排出するための搬送経路と、
前記搬送経路に沿って搬送される記録媒体を案内するためのガイド面を有する第１ガイド部と、
前記第１ガイド部のガイド面に対面するガイド面を有する第２ガイド部と、
前記第１ガイド部及び前記第２ガイド部の少なくとも何れか一方を、姿勢を保ったまま略平行にスライド移動させることで前記入口部及び前記出口部を開放可能な開閉機構と、
を備えることを特徴とする記録媒体搬送装置。
【請求項１１】
請求項１から１０までの何れか一項に記載の記録媒体搬送装置であって、
前記後処理装置に搬送されない記録媒体が排出される排出面を上面に備えることを特徴とする記録媒体搬送装置。
【請求項１２】
請求項１１に記載の記録媒体搬送装置であって、
前記排出面に排出された記録媒体を装置正面側に引き出すための引出機構を備えることを特徴とする記録媒体搬送装置。
【請求項１３】
画像形成装置で画像形成された記録媒体を後処理するための後処理装置と、
請求項１から１２までの何れか一項に記載の記録媒体搬送装置と、
を備えることを特徴とする後処理機能付き画像形成装置。
【発明の詳細な説明】
【技術分野】
【０００１】
本発明は画像形成装置で印刷された記録媒体を後処理装置に搬送するための記録媒体搬送装置に関するものであり、詳細には、記録媒体搬送装置の開閉機構に関するものである。
【背景技術】
【０００２】
従来から、印刷処理が行われた紙（記録媒体）に対してパンチ処理又はステープル処理等の後処理を行う後処理装置を備えた、後処理機能付き画像形成装置が知られている。このような後処理機能付き画像形成装置において、前記後処理装置が後付け可能なオプション装置として構成されている場合、印刷処理部と後処理装置との間に、印刷した紙を後処理装置まで搬送するための記録媒体搬送装置を備えることがある。
【０００３】
この種の記録媒体搬送装置を備えた画像形成装置を開示したものに、例えば特許文献１がある。特許文献１の画像形成装置（デジタル複写機）は搬送ユニット連結部としてのヒンジ軸を備え、このヒンジ軸に、記録媒体搬送装置としての搬送ユニットが着脱可能に連結される。搬送ユニットはプリンタ部と画像読取装置との間に配置されるとともに、前記ヒンジ軸回りに上下に回動可能に支持されている。また、前記搬送ユニットは、画像形成装置のプリンタ部の上面との間に、シート搬送路を形成している。トナー像が形成されて排出口から排出された記録シートは、前記シート搬送路を介して下流側の後処理装置へ搬送される。
【特許文献１】特開２００２−２７４７３５号公報
【発明の開示】
【発明が解決しようとする課題】
【０００４】
特許文献１の構成では、搬送ユニットにおいて搬送中の紙が詰まった場合、搬送ユニットをヒンジ軸回りに回動させることでシート搬送路を開放し、ジャム紙を除去できると考えられる。しかしながら、特許文献１のように搬送ユニットをヒンジ軸回りに回動させる場合、その回動中心の近傍は大きく開放させることができず、支点側のスペースが狭くなってしまう。また、特許文献１のようにプリンタ部と画像読取装置とに挟まれた位置に搬送ユニットがある場合、搬送ユニットの回動角を大きく確保することがスペースの関係上難しく、開放時の支点側の空間が特に狭くなってしまっていた。従って、支点側では作業スペース及び視界が十分に確保できないため、例えば除去作業の際に破れる等した紙の一部を取り残してしまうことが多く、更なる紙詰まり及び装置の故障の原因となるおそれがあった。
【０００５】
本発明は以上の事情に鑑みてなされたものであり、その目的は、詰まった紙の除去作業を行うためのスペースを十分に確保できる開閉機構を備える記録媒体搬送装置を提供することにある。
【課題を解決するための手段及び効果】
【０００６】
本発明の解決しようとする課題は以上の如くであり、次にこの課題を解決するための手段とその効果を説明する。
【０００７】
本発明の第１の観点によれば、以下のように構成される記録媒体搬送装置が提供される。即ち、記録媒体搬送装置は、第１ガイド部と、第２ガイド部と、開閉機構と、を備える。前記第１ガイド部は、画像形成装置で画像形成されて後処理装置へ搬送される記録媒体を案内するためのガイド面を有する。前記第２ガイド部は、前記第１ガイド部の前記ガイド面に対面するガイド面を有する。前記開閉機構は、前記第１ガイド部及び前記第２ガイド部の少なくとも何れか一方を、姿勢を保ったまま略平行にスライド移動させることで記録媒体搬送装置の内部を開閉可能に構成されている。
【０００８】
これにより、ガイド部のスライド移動によって、記録媒体搬送装置の内部で記録媒体を案内するガイド面全体を広く開放できる。従って、作業スペースを広く確保することができ、詰まった記録媒体の除去作業及びメンテナンス作業等を効率的に行うことができる。また、ガイド部が姿勢を保ったまま略平行にスライド移動するので、ガイド部の支持バランスを崩すことなく、スムーズに内部を開放することができる。
【０００９】
前記の記録媒体搬送装置においては、以下のように構成されることが好ましい。即ち、前記第１ガイド部及び前記第２ガイド部は、前記記録媒体の搬送経路を上下方向に挟むように配置されている。前記第１ガイド部及び前記第２ガイド部の少なくとも何れか一方は、高さを異ならせるようにスライド移動できる。
【００１０】
これにより、第１ガイド部と第２ガイド部との高さ方向の間隔が大きくなるように、内部を広く開放することができる。また、第１ガイド部と第２ガイド部との間に記録媒体が残っていても、開放時に前記記録媒体が下側のガイド部の上に載った形となり、ユーザが第１ガイド部と第２ガイド部との間に手を差し込んで記録媒体の除去作業を容易に行うことができる。
【００１１】
前記の記録媒体搬送装置においては、以下のように構成されることが好ましい。即ち、記録媒体搬送装置は、前記第１ガイド部及び前記第２ガイド部が取り付けられる本体を備える。前記第１ガイド部及び前記第２ガイド部の少なくとも何れか一方は、高さが異なるようにスライド移動するとともに、装置正面側に前記本体から引き出されるように移動する。
【００１２】
これにより、本体からガイド部が引き出されるので、ガイド面は一層広く開放されることになる。また、装置正面側にガイド面が引き出されることにより、詰まった記録媒体の除去作業を十分な視界を確保しつつ行うことができる。
【００１３】
前記の記録媒体搬送装置においては、前記第１ガイド部及び前記第２ガイド部のうち少なくとも下側に配置されるガイド部が装置正面側に引き出されることが好ましい。
【００１４】
これにより、第１ガイド部と第２ガイド部との間に記録媒体が詰まった場合でも、下側のガイド部を引き出すことで、詰まっていた記録媒体は下側のガイド部とともに記録媒体搬送装置の内部から装置正面側に移動する。従って、ユーザが装置の奥の方まで手を差し入れて記録媒体を取り除く必要がなく、記録媒体の除去作業を一層容易に行うことができる。
【００１５】
前記の記録媒体搬送装置においては、下側に配置されるガイド部を引き出した状態で、当該ガイド部の姿勢を前下がりに傾斜させることが可能に構成されることが好ましい。
【００１６】
これにより、下側に配置されるガイド面が大きく露出し、記録媒体の取り出しを一層容易に行うことができる。
【００１７】
前記の記録媒体搬送装置においては、以下のように構成されることが好ましい。即ち、記録媒体搬送装置は、前記第１ガイド部及び前記第２ガイド部のうち前記スライド移動させるガイド部であるスライドガイド部を支持するフレームを備える。前記スライドガイド部は、記録媒体搬送方向の上流側端部及び下流側端部にそれぞれ複数配置される支持軸を有する。前記フレームには、同一形状のスライド溝が前記支持軸に対応して複数形成される。
【００１８】
これにより、簡単な構成で、スライドガイド部が姿勢を保った状態でスライド移動を行うことができる。また、スライドガイド部の移動時に支持軸がスライド溝に片当たりして余計な抵抗を生じることがないので、スライド移動をスムーズに行うことができる。
【００１９】
前記の記録媒体搬送装置においては、以下のように構成されることが好ましい。即ち、前記第１ガイド部は、前記記録媒体を搬送するための駆動ローラを有する。前記第２ガイド部は、前記駆動ローラに対向配置される従動ローラを有する。前記開閉機構は、固定側の前記第１ガイド部に対し前記第２ガイド部をスライド移動させることで記録媒体搬送装置の内部を開閉する。
【００２０】
これにより、駆動ローラが配置される第１ガイド部が固定側となり、従動ローラを備える第２ガイド部が移動側となるので、記録媒体の搬送機構が複雑化することなく開閉機構を実現できる。また、駆動ローラに比べて軽量化が容易な従動ローラが第２ガイド部に配置されているため、第２ガイド部を小さな力でスムーズに移動させることができる。
【００２１】
前記の記録媒体搬送装置においては、以下のように構成することが好ましい。即ち、この記録媒体搬送装置は、前記ガイド部のスライド移動の経路中に配置される凸部を備える。前記凸部は、記録媒体搬送装置の内部を開放した状態で前記ガイド部を保持可能に構成されている。
【００２２】
これにより、記録媒体搬送装置の内部を開放させた状態でガイド部を保持させることができるので、ガイド部のガタつきを防止して安定した状態で作業を行うことができる。
【００２３】
前記の記録媒体搬送装置においては、以下のように構成されることが好ましい。即ち、記録媒体搬送装置は、前記第１ガイド部及び前記第２ガイド部のうち前記スライド移動させるガイド部に接続されるバネを備える。前記バネは前記ガイド部を、記録媒体を搬送するときの使用位置に向けて付勢する。
【００２４】
これにより、スライド移動するガイド部が使用位置に付勢される状態となるので、メンテナンス及び詰まった記録媒体の除去作業を終えた後、ガイド部を使用位置へスムーズに戻すことができる。
【００２５】
本発明の第２の観点によれば、以下のように構成される記録媒体搬送装置が提供される。即ち、記録媒体搬送装置は、搬送経路と、第１ガイド部と、第２ガイド部と、開閉機構と、を備える。前記搬送経路は、画像形成装置で画像形成された記録媒体を入口部を介して導入し、出口部から排出する。前記第１ガイド部は、前記搬送経路に沿って搬送される記録媒体を案内するためのガイド面を有する。前記第２ガイド部は、前記第１ガイド部のガイド面に対面するガイド面を有する。前記開閉機構は、前記第１ガイド部及び前記第２ガイド部の少なくとも何れか一方を、姿勢を保ったまま略平行にスライド移動させることで前記入口部及び前記出口部を開放可能に構成されている。
【００２６】
これにより、姿勢を保ったまま略平行にガイド部をスライド移動させることで記録媒体搬送装置の入口部及び出口部を大きく開放することができる。従って、記録媒体搬送装置の入口部及び出口部で記録媒体が詰まった場合でも、記録媒体の除去作業をスムーズに行うことができる。
【００２７】
前記の記録媒体搬送装置においては、前記後処理装置に搬送されない記録媒体が排出される排出面を上面に備えることが好ましい。
【００２８】
これにより、後処理装置へ搬送されない記録媒体の排出面を記録媒体搬送装置が有することになるので、装置構成をシンプルにするとともに、省スペース化を達成することができる。
【００２９】
前記の記録媒体搬送装置においては、前記排出面に排出された記録媒体を装置正面側に引き出すための引出機構を備えることが好ましい。
【００３０】
これにより、記録媒体が排出面の装置奥側に排出されたとしても、容易に装置正面側に引き出して取り出すことができる。
【００３１】
本発明の第３の観点によれば、画像形成装置で画像形成された記録媒体を後処理するための後処理装置と、前記の記録媒体搬送装置と、を備える画像形成装置が提供される。
【００３２】
これにより、記録媒体を画像形成装置から後処理装置へ記録媒体搬送装置で搬送できるとともに、作業スペースを十分に確保した状態で記録媒体搬送装置の内部を開放することができる。従って、記録媒体搬送装置内で記録媒体が詰まった場合でも、記録媒体の除去作業を容易に行うことができる。
【発明を実施するための最良の形態】
【００３３】
以下、本発明の好適な実施形態について図面を参照しながら説明する。図１は本発明の一実施形態に係る後処理機能付き画像形成装置としてのコピーファクシミリ複合機７５の様子を示す正面図である。
【００３４】
図１に示すコピーファクシミリ複合機７５は、画像読取部７６と、操作パネル７７と、本体７８と、給紙カセット７９と、フィニッシャ（後処理装置）９９と、中継ユニット（記録媒体搬送装置）３０と、を備えている。なお、第１実施形態においてはフィニッシャ９９及び中継ユニット３０は複合機７５本体から着脱可能に構成されており、いわゆるオプション装置として複合機７５本体に取り付けられている。
【００３５】
画像読取部７６は、フラットベッドスキャナ及びオートドキュメントフィードスキャナとして機能するように構成されている。操作パネル７７は、コピー部数、ファクシミリ送信先及び記録紙１００への後処理等をユーザが複合機７５に対し指示するためのものである。本体７８には、記録媒体としての用紙に画像を形成する画像形成部等が内蔵されているとともに、通信回線を介して画像データを伝送するための図略の送受信部等が備えられている。給紙カセット７９は、記録紙１００を前記画像形成部へ順次供給できるように構成されている。フィニッシャ９９は、複合機７５で印刷された記録紙１００に対して後処理を行うためのものであり、中継ユニット３０は複合機７５で印刷された記録紙１００をフィニッシャ９９に搬送するためのものである。
【００３６】
本体７８の上面には、読み取るべき原稿を載置する図略のプラテンガラスが設けられる。本体７８の上方には原稿台カバー８３が設けられており、この原稿台カバー８３によって、原稿を前記プラテンガラス上に押圧して固定できるようになっている。
【００３７】
前記原稿台カバー８３には自動原稿搬送装置（オートドキュメントフィーダ、ＡＤＦ）８４が配設されている。このＡＤＦ８４は、原稿台カバー８３の上部に設けられた原稿トレイ８５と、この原稿トレイの下方に設けられた原稿排出トレイ８６と、を備える。原稿トレイ８５に重ねてセットされた原稿は、１枚ずつ分離されて、ＡＤＦ８４内に形成される湾曲状の原稿搬送経路に沿って搬送され、原稿の読取位置を通過した後、原稿排出トレイ８６へ排出される。
【００３８】
本体７８の上部にはスキャナユニット９０が備えられる。このスキャナユニット９０は、光源、反射ミラー、集光レンズ及びＣＣＤ等で構成され、ＡＤＦ８４内を搬送される原稿を読み取ることができる。スキャナユニット９０は、前記原稿搬送経路を搬送されてきた原稿に対し、前記光源からの光を照射する。原稿からの反射光は前記ＣＣＤへ導かれて結像し、このＣＣＤは原稿に応じた電気信号を出力する。この信号は適宜の変換処理後に後述の画像形成部１１に送られて印刷され、又は、前記送受信部によって他のファクシミリ装置へ通信回線を介して送信される。
【００３９】
図１に示すように、本体７８の下部には、記録紙１００を供給する給紙カセット７９が備えられる。この給紙カセット７９は装置正面側（図１の紙面手前側）に引出可能に構成されている。給紙カセット７９の上方には、画像形成部１１と、定着装置５１と、が備えられている。
【００４０】
本体７８の内部には、給紙カセット７９から中継ユニット３０へ記録紙１００を搬送するための搬送経路２４が形成されている。この搬送経路２４は、給紙カセット７９の一端側から上方に向かって延び、画像形成部１１及び定着装置５１を通過した後、中継ユニット３０の入口部８０に至るように構成されている。
【００４１】
また、中継ユニット３０にも搬送経路２６が形成されており、この搬送経路２６は、前記入口部８０から中継ユニット３０の出口部９８を介してフィニッシャ９９へ略水平方向に延びるように構成されている。なお、ここで言う水平方向とは、装置の設置面に対して平行な方向を意味する。
【００４２】
給紙カセット７９の上方には図略の給紙ローラが配置され、この給紙ローラは、給紙カセット７９内に積層された最上層の記録紙１００に接触可能に構成されている。この給紙ローラが駆動されることで、最上層の記録紙１００が分離されてピックアップされ、前記搬送経路２４に向けて送り出される。
【００４３】
給紙カセット７９の上流側には搬送ローラ２２が配置されている。記録紙１００は、前記搬送ローラ２２とそれに対向配置されるローラとの間にニップされながら、搬送経路２４の下流側に位置する画像形成部１１に搬送される。
【００４４】
搬送ローラ２２によって搬送されてきた記録紙１００に対し、画像形成部１１によってトナー像が転写される。この画像形成部１１は例えば、感光ドラム、帯電器、露光ヘッド、現像器、及び転写ローラ等によって構成される。画像形成部１１でトナー像が転写された記録紙１００は、感光ドラム等の回転によって、搬送経路２４の下流側の定着装置５１へ送られる。
【００４５】
定着装置５１は、回転駆動されるヒートローラと、このヒートローラに対向して配置されるプレスローラと、を備える。この構成で、記録紙１００がヒートローラとプレスローラとの間を通過することにより、高温のヒートローラの熱及びプレスローラによる圧力によって、画像形成部１１で転写されたトナー像のトナーが融解して記録紙１００に定着する。
【００４６】
定着装置５１より下流側には排紙ローラ２５が設けられる。定着装置５１から送られてきた記録紙１００は、排紙ローラ２５とそれに対向配置される従動ローラとの間でニップされて、本体７８から排出され、中継ユニット３０の入口部８０へ導入される。
【００４７】
中継ユニット３０は複合機７５本体の排出部に配置されている。この中継ユニット３０には記録紙１００の搬送経路２６が形成されており、搬送経路２６が前記複合機７５本体の搬送経路２４に接続されている。この中継ユニット３０へ搬送された記録紙１００は、当該中継ユニット３０によって中継ユニットの出口部９８まで搬送され、フィニッシャ９９に導入される。なお、この中継ユニット３０の詳細については後述する。
【００４８】
フィニッシャ９９は、パンチ処理機能及びステープル機能等を有するとともに、複数の排出トレイ９７を備える。フィニッシャ９９は、本体７８から中継ユニット３０を介して搬送されてきた記録紙１００に対して、パンチ処理或いはホッチキス止め等、適宜の後処理を行った後、指定された排出トレイ９７へ記録紙１００を排出する。なお、第１実施形態の複合機７５では、印刷処理された記録紙１００に対してフィニッシャ９９による処理を特に行わない場合でも、記録紙１００はフィニッシャ９９を通過して排出トレイ９７に排出されるようになっている。
【００４９】
次に、図２、図３、図４及び図５を参照して中継ユニット３０の詳細について説明する。図２は第１実施形態の中継ユニット３０の使用状態を示す斜視図である。図３は中継ユニットの移動過程を示す斜視図である。図４は中継ユニット３０の内部を開放した状態を示す斜視図である。図５は中継ユニット３０の背面の様子を示す斜視図である。なお、以下の説明においては、記録紙搬送方向の上流及び下流を、単に上流及び下流と称する場合がある。
【００５０】
図２に示すように、中継ユニット３０は、フレーム３３と、上ガイド部（第１ガイド部）３１と、下ガイド部（第２ガイド部、スライドガイド部）３２と、中継ユニット３０の内部を開放するための開閉機構３４と、を備える。以下、中継ユニット３０の各部について説明する。
【００５１】
図２、図３及び図４に示すように、フレーム３３は、互いに間隔をあけて配置された２つの縦壁部４６，４７と、当該縦壁部４６，４７の上部同士を連結する横壁部４８と、を備えている。横壁部４８の上面全体を覆うように、フレーム３３には樹脂製の外装カバー４９が固定されている。
【００５２】
フレーム３３は板金を折曲げ加工することにより構成されており、これにより前記縦壁部４６，４７と横壁部４８とが一体的に形成されている。フレーム３３は装置正面側と背面側を開放するように形成され、当該フレーム３３の内部に用紙の搬送経路２６が構成されている。
【００５３】
一側の縦壁部４６が搬送経路２６の上流側に配置され、他側の縦壁部４７が搬送経路２６の下流側に配置されている。上流側の縦壁部４６の上部には入口孔８７が貫通状に形成され、下流側の縦壁部４７の上部には出口孔８８が貫通状に形成されている。入口孔８７と出口孔８８は何れも細長い矩形状の輪郭を有しており、記録紙１００が通過可能に構成されている。
【００５４】
上ガイド部３１及び下ガイド部３２はフレーム３３の内部に配置されるとともに、この上ガイド部３１と下ガイド部３２の間に前記搬送経路２６が構成されている。搬送経路２６の上流側端部（入口部８０）は入口孔８７に接続され、下流側端部（出口部９８）は出口孔８８に接続されている。前記フレーム３３は、上ガイド部３１及び下ガイド部３２を縦壁部４６，４７の間で水平方向に挟み込むように支持している。
【００５５】
上ガイド部３１は略平板状に形成されており、フレーム３３の内部空間の上部の位置（横壁部４８の近傍）に固定されている。上ガイド部３１の下面には、記録紙１００を上側から案内するガイド面が形成されており、このガイド面は、入口部８０から出口部９８へ近づくに従って上方に若干傾斜するように形成されている。
【００５６】
図２に示すように、上ガイド部３１の前記ガイド面には記録紙１００を搬送するための駆動ローラ３５が複数備えられている。この駆動ローラ３５は、横壁部４８及び上ガイド部３１の背面側に配置された図略のプーリ及びベルト等で構成される駆動力伝達機構によって駆動される。第１実施形態において前記駆動力伝達機構は図略の入力軸を備えており、複合機７５の本体側から前記入力軸を介して入力された動力を駆動ローラ３５に伝達するように構成される。
【００５７】
下ガイド部３２は略平板状に形成されており、フレーム３３に対して移動可能に支持される。具体的に説明すると、前記フレーム３３のそれぞれの縦壁部４６，４７には、細長いスライド溝４１が２つ形成されている。また、下ガイド部３２の上流側端部と下流側端部には丸棒状の２本の支持軸４２がそれぞれ形成されており、これらの支持軸４２が前記スライド溝４１に差し込まれた状態で支持されている。この構成で、支持軸４２がスライド溝４１の内部で移動することにより、下ガイド部３２を、上ガイド部３１と近接した使用位置（閉鎖位置、図２）と、上ガイド部３１から離間した開放位置（図４）と、の間で平行移動させることができる。このとき図３に示すように、使用位置から開放位置への移動は下ガイド部３２の姿勢が常に平行に保たれた状態で行われるので、下ガイド部３２の支持バランスを崩すことなく、中継ユニット３０内部の開放をスムーズに行うことができる。
【００５８】
また、下ガイド部３２の上面には記録紙１００を下側から案内するガイド面が備えられており、このガイド面は前記上ガイド部３１のガイド面に対面している。このガイド面は、上ガイド部３１のガイド面と同様に、入口部８０から出口部９８へ近づくに従って上方に若干傾斜するように形成されている。図２、図３及び図４に示すように、下ガイド部３２のガイド面には複数の従動ローラ３６が前記駆動ローラ３５に対向するように配置されている。更に、下ガイド部３２の装置正面側には取っ手部３７が取り付けられており、ユーザはこの取っ手部３７を掴むことにより下ガイド部３２を容易に移動させることができる。
【００５９】
この構成で、入口孔８７から中継ユニット３０に搬送された記録紙１００は、駆動ローラ３５と従動ローラ３６にニップされる。そして、この状態で上ガイド部３１のガイド面及び下ガイド部３２のガイド面に案内されながら、搬送経路２４に沿って入口部８０から出口部９８まで搬送され、最終的に出口孔８８から前記フィニッシャ９９に向けて排出される。
【００６０】
次に、中継ユニット３０が備える開閉機構３４について説明する。開閉機構３４は、下ガイド部３２が備える前記支持軸４２と、フレーム３３に形成されるスライド溝４１と、バネ４３と、を備えている。
【００６１】
スライド溝４１は前記支持軸４２に対応して、縦壁部４６，４７にそれぞれ２つずつ形成されている。スライド溝４１は何れも同一形状となっており、使用位置保持部６０と、傾斜部６１と、開放位置保持部６２と、を有している。
【００６２】
使用位置保持部６０は、下ガイド部３２が前記使用位置にあるときに支持軸４２を支持する部分であり、フレーム３３の上部近傍に配置されている。開放位置保持部６２は、下ガイド部３２が前記開放位置にあるときに支持軸４２を支持する部分であり、前記使用位置保持部６０より低く且つ装置正面側の位置に配置されている。使用位置保持部６０及び開放位置保持部６２は、何れも水平方向の短い長孔として形成されている。
【００６３】
傾斜部６１は、使用位置保持部６０と開放位置保持部６２を互いに接続するように形成されている。傾斜部６１は装置正面側に向かって下方となるように傾斜する直線状に構成されている。
【００６４】
使用位置保持部６０と傾斜部６１の接続部分には、スライド溝４１の下縁から適宜の高さだけ突出する突起が形成されている。これにより、中継ユニット３０が衝撃を受けた等の場合でも、支持軸４２が意図に反して使用位置保持部６０から抜けて中継ユニット３０の内部が開放されることを前記突起によって防止することができる。
【００６５】
また、図５に示すように、中継ユニット３０の背面側にはバネ４３が配置されている。具体的には、前記上ガイド部３１の背面には２つのブラケット４４が固定され、このブラケット４４にそれぞれ前記バネ４３の一端が取り付けられている。そして、それぞれのバネ４３の他端が下ガイド部３２の背面側に接続されている。
【００６６】
このバネ４３は、下ガイド部３２を前記使用位置側に引っ張る弾性力を常時作用させるように構成されている。従って、ユーザが下ガイド部３２を開放位置から使用位置に戻すときには、バネ４３の復元力によって下ガイド部３２を前記傾斜部６１に沿って容易に上昇させることができる。
【００６７】
また、図６に示すように、開放位置保持部６２の下縁には、適宜の高さだけ突出する凸部６３が配置されている。図６はスライド溝４１に配置される凸部６３の様子を示す拡大斜視図である。この構成で、下ガイド部３２を前記開放位置に移動させると、支持軸４２は凸部６３を乗り越えて、図６の鎖線で示すように開放位置保持部６２の端部に位置する。この状態で凸部６３が支持軸４２に接触することで、前記バネ４３の引張力にかかわらず、下ガイド部３２を前記開放位置で安定して保持することができる。
【００６８】
以上の構成で、中継ユニット３０に記録紙１００が詰まった場合、ユーザは下ガイド部３２の取っ手部３７を掴んで下ガイド部３２を手前に引き出す。これに伴い、下ガイド部３２が備える前記支持軸４２は、前記スライド溝４１において使用位置保持部６０と傾斜部６１の接続部分（前記突起）を乗り越えた後、傾斜部６１に従って斜め下方へ移動する。
【００６９】
このとき、下ガイド部３２が備える４本の支持軸４２は、使用位置保持部６０から同時に傾斜部６１へ移行し、対応する位置関係を常に保ちながら当該傾斜部６１に沿ってそれぞれ下降する。これにより、下ガイド部３２の上ガイド部３１に対する相対的な平行移動（姿勢を保持しながらのスライド移動）が実現される。
【００７０】
なお、下ガイド部３２が斜め下方への移動を開始すると、駆動ローラ３５と従動ローラ３６との接触が解除され、上ガイド部３１と下ガイド部３２とが離間する。従って、殆どの場合、ジャム紙はフリーとなって下ガイド部３２のガイド面上に落下し、その後は下ガイド部３２とともに平行移動して引き出されることになる。
【００７１】
傾斜部６１と開放位置保持部６２との接続部分に支持軸４２が到達したところで、ユーザは下ガイド部３２を水平方向に更に手前に引き出し、支持軸４２に凸部６３を乗り越えさせる。この乗越えが完了し、凸部６３によって支持軸が装置正面側に支持される状態（図５）となったところで引出しが完了する。
【００７２】
この状態で、ユーザは、中継ユニット３０に詰まった記録紙１００の除去作業及びメンテナンス作業を行う。このとき、上ガイド部３１と下ガイド部３２は、入口部８０側であると出口部９８側であるとを問わず、また装置正面側であると奥側であるとを問わず、搬送経路２６の全域にわたって上下方向に大きく離間（開放）している。従って、作業空間を広く確保してメンテナンス作業を容易に行うことができ、例えば入口部８０又は出口部９８の奥の部分を清掃したい場合でも簡単に行うことができる。また、詰まった記録紙は殆どの場合下ガイド部３２とともに装置正面側に引き出されているので、当該ジャム紙の除去は容易である。
【００７３】
メンテナンス作業等が終わり、下ガイド部３２を開放位置から使用位置へ戻す場合には、ユーザは前記取っ手部３７を手で押し込む。すると、前記スライド溝４１の開放位置保持部６２に位置していた支持軸４２が凸部６３を乗り越え、傾斜部６１を経由して使用位置保持部６０へ戻る。これに伴い、下ガイド部３２は斜め上方向に移動して上ガイド部３１に近接し、駆動ローラ３５と従動ローラ３６が再び接触する。なお、下ガイド部３２の移動は前記バネ４３の弾性力によって補助されるので、ユーザは小さい操作力で下ガイド部３２を上昇させ、元の使用位置に戻すことができる。
【００７４】
以上に示したように、第１実施形態の中継ユニット３０は、上ガイド部３１と、下ガイド部３２と、開閉機構３４と、を備える。上ガイド部３１は、複合機７５本体（画像形成部１１）で画像形成されてフィニッシャ９９へ搬送される記録紙１００を案内するためのガイド面を有する。下ガイド部３２は、上ガイド部３１のガイド面に対面するガイド面を有する。開閉機構３４は、下ガイド部３２を、姿勢を保ったまま略平行にスライド移動させることで中継ユニット３０の内部を開閉可能に構成されている。
【００７５】
この構成により、下ガイド部３２のスライド移動によって、中継ユニット３０の内部で記録紙１００を案内するガイド面全体を広く開放できる。従って、作業スペースを広く確保することができ、詰まった記録紙１００の除去作業及びメンテナンス作業等を効率的に行うことができる。また、下ガイド部３２が姿勢を保ったまま略平行にスライド移動するので、下ガイド部３２の支持バランスを崩すことなく、スムーズに内部を開放することができる。
【００７６】
また、第１実施形態の中継ユニット３０において、上ガイド部３１及び下ガイド部３２は、記録紙１００の搬送経路２６を上下方向に挟むように配置されている。下ガイド部３２は、高さを異ならせるようにスライド移動できる。
【００７７】
この構成により、上ガイド部３１と下ガイド部３２との高さ方向の間隔が大きくなるように、内部を広く開放することができる。また、上ガイド部３１と下ガイド部３２との間に記録紙１００が残っていても、殆どの場合、開放時に記録紙１００が下ガイド部３２のガイド面上に載った形となる。従って、ユーザが上ガイド部３１と下ガイド部３２との間に手を差し込んで記録紙１００の除去作業を容易に行うことができる。
【００７８】
また、第１実施形態の中継ユニット３０は、上ガイド部３１及び下ガイド部３２が取り付けられるフレーム３３を備える。下ガイド部３２は、高さが異なるようにスライド移動するとともに、装置正面側にフレーム３３から引き出されるように移動する。
【００７９】
この構成により、フレーム３３から下ガイド部３２が引き出されるので、ガイド面は一層広く開放されることになる。また、ガイド面が装置正面側へ引き出されることにより、詰まった記録紙１００の除去作業を十分な視界を確保しつつ行うことができる。
【００８０】
また、第１実施形態の中継ユニット３０においては、下側に配置される下ガイド部３２が装置正面側に引き出されるように構成されている。
【００８１】
この構成により、上ガイド部３１と下ガイド部３２との間に記録紙１００が詰まった場合でも、下ガイド部３２を引き出すことで、詰まっていた記録紙１００は下ガイド部３２とともに中継ユニット３０の内部から装置正面側に移動する。従って、ユーザが装置の奥の方まで手を差し入れて記録紙１００を取り除く必要がなく、記録紙１００の除去作業を一層容易に行うことができる。
【００８２】
また、第１実施形態の中継ユニット３０は、下ガイド部３２を支持するフレーム３３を備える。下ガイド部３２は、記録紙１００搬送方向の上流側端部及び下流側端部にそれぞれ２本配置される支持軸４２を有する。フレーム３３の縦壁部４６，４７には、同一形状のスライド溝４１が前記支持軸４２に対応して複数形成される。
【００８３】
この構成により、簡単な構成で、下ガイド部３２が姿勢を保った状態でスライド移動を行うことができる。また、下ガイド部３２の移動時に支持軸４２がスライド溝４１に片当たりして余計な抵抗を生じることがないので、スライド移動をスムーズに行うことができる。
【００８４】
また、第１実施形態の中継ユニット３０において、上ガイド部３１は記録紙１００を搬送するための駆動ローラ３５を有し、下ガイド部３２は駆動ローラ３５に対向配置される従動ローラ３６を有する。開閉機構３４は、固定側の上ガイド部３１に対し下ガイド部３２をスライド移動させることで中継ユニット３０の内部を開閉する。
【００８５】
この構成により、駆動ローラ３５が配置される上ガイド部３１が固定側となり、従動ローラ３６を備える下ガイド部３２が移動側となるので、記録紙１００の駆動機構が複雑化することなく開閉機構３４を実現できる。また、駆動ローラ３５に比べて軽量化が容易な従動ローラ３６が下ガイド部３２に配置されているため、下ガイド部３２を小さな力でスムーズに移動させることができる。
【００８６】
また、第１実施形態の中継ユニット３０は、下ガイド部３２のスライド移動の経路であるスライド溝４１の途中部に配置される凸部６３を備える。この凸部６３は、中継ユニット３０の内部を開放した状態で下ガイド部３２を保持することが可能に構成されている。
【００８７】
この構成により、中継ユニット３０の内部を開放させた状態で下ガイド部３２を保持させることができるので、下ガイド部３２のガタつきを防止して安定した状態で作業を行うことができる。
【００８８】
また、第１実施形態の中継ユニット３０は、前記下ガイド部３２に接続されるバネ４３を備える。バネ４３は下ガイド部３２を、記録紙１００を搬送するときの使用位置に向けて付勢する。
【００８９】
この構成により、下ガイド部３２が使用位置に付勢される状態となるので、メンテナンス及び詰まった記録紙１００の除去作業を終えた後、下ガイド部３２を使用位置へスムーズに戻すことができる。
【００９０】
また、第１実施形態の中継ユニット３０は、搬送経路２６と、上ガイド部３１と、下ガイド部３２と、開閉機構３４と、を備える。搬送経路２６は、複合機７５の本体で画像形成された記録紙１００を入口部８０を介して導入し、出口部９８から排出するように構成されている。上ガイド部３１は、搬送経路２６に沿って搬送される記録紙１００を案内するためのガイド面を有する。下ガイド部３２は、上ガイド部３１のガイド面に対面するガイド面を有する。開閉機構３４は、下ガイド部３２を、姿勢を保ったまま略平行にスライド移動させることで入口部８０及び出口部９８を開放可能に構成されている。
【００９１】
この構成により、姿勢を保ったまま略平行に下ガイド部３２をスライド移動させることで中継ユニット３０の入口部８０及び出口部９８を大きく開放することができる。従って、中継ユニット３０の入口部８０及び出口部９８で記録紙１００が詰まった場合でも、除去作業をスムーズに行うことができる。
【００９２】
また、第１実施形態の複合機７５は、画像形成された記録紙１００を後処理するためのフィニッシャ９９と、中継ユニット３０と、を着脱可能な状態で備えている。
【００９３】
この構成により、記録紙１００を複合機７５本体からフィニッシャ９９へ中継ユニット３０で搬送できるとともに、作業スペースを十分に確保した状態で中継ユニット３０の内部を開放することができる。従って、中継ユニット３０内で記録紙１００が詰まった場合でも、記録紙１００の除去作業を容易に行うことができる。
【００９４】
次に図７を参照して第２実施形態について説明する。図７は第２実施形態の中継ユニット１３０の内部を開放した状態を示す側面図である。なお、第２実施形態において、後述する開閉機構１３４以外の構成については第１実施形態と同様であるので、図面に同一の符号を付して説明を省略する。
【００９５】
図７に示すように、中継ユニット１３０が備える開閉機構１３４は、下ガイド部３２が備える支持軸４２と、フレーム１３３に形成される正面側スライド溝１４１と、背面側スライド溝１４２と、を備えている。正面側スライド溝１４１及び背面側スライド溝１４２は前記支持軸４２に対応して、出口孔８８側の縦壁部１４７と入口孔側（図７の紙面奥側）の縦壁部にそれぞれ形成されている。
【００９６】
背面側スライド溝１４２は、使用位置保持部１６０と、傾斜部１６３と、を有している。使用位置保持部１６０は、下ガイド部３２が使用位置にあるときに支持軸４２を支持する部分であり、フレーム１３３の上部近傍に配置されている。この使用位置保持部１６０は、水平方向の短い長孔として形成されている。傾斜部１６３は、使用位置保持部１６０に接続するように形成されており、装置正面側に向かって下方となるように傾斜する直線状に構成されている。そして背面側スライド溝１４２は、下ガイド部３２が開放位置にあるときは、傾斜部１６３の下側端部で支持軸４２を回転可能に支持するように構成されている。
【００９７】
正面側スライド溝１４１は、使用位置保持部１６０と、傾斜部１６１と、回転案内保持部１１１と、を有している。なお、正面側スライド溝１４１の使用位置保持部１６０は背面側スライド溝１４２の使用位置保持部１６０と同様に構成されるので、説明は省略する。
【００９８】
傾斜部１６１は、使用位置保持部１６０と回転案内保持部１１１を互いに接続するように形成されている。傾斜部１６１は装置正面側に向かって下方となるように傾斜する直線状に構成されている。
【００９９】
回転案内保持部１１１は、下ガイド部３２が開放位置にあるときに支持軸４２を案内及び支持する部分であり、前記使用位置保持部１６０より低く且つ装置正面側の位置に配置されている。回転案内保持部１１１は、傾斜部１６１の接続部分から更に下方向に延びる短い円弧状の長孔として形成されている。そして、回転案内保持部１１１の下側端部は前記背面側スライド溝１４２の傾斜部１６３の下側端部よりも下方に位置するように構成されている。
【０１００】
この構成で、下ガイド部３２を前記使用位置から前記開放位置に移動させるには、図７に示すように、背面側の支持軸４２が傾斜部１６３の下側端部に接触するまで下ガイド部３２の姿勢を略平行に保ったまま移動させる。そして、傾斜部１６３の下側端部に背面側の前記支持軸４２が接触したところで、正面側の支持軸４２を回転案内保持部１１１へと移動させる。図７の鎖線に示すように、正面側の支持軸４２が、背面側スライド溝１４２の傾斜部１６３の端部より下側に位置する回転案内保持部１１１に移動することで、下ガイド部３２が前下がりに傾斜した状態となる。これによって、下ガイド部３２の原稿搬送面を大きく露出させることができる。また、回転案内保持部１１１に正面側の支持軸４２が嵌まり込んだ状態となるので、ユーザが持ち上げたりしない限り、下ガイド部３２は開放位置で安定的に保持される。
【０１０１】
以上に示したように、第２実施形態の中継ユニット１３０は、下側に配置される下ガイド部３２を引き出した状態で、当該ガイド部３２の姿勢を前下がりに傾斜させることが可能に構成される。
【０１０２】
この構成により、下ガイド部３２のガイド面が大きく露出し、記録紙１００の取り出しを一層容易に行うことができる。
【０１０３】
次に図８及び図９を参照して第３実施形態について説明する。図８は第３実施形態のコピーファクシミリ複合機の一部を示す拡大正面図である。図９は第３実施形態の中継ユニットの様子を示す斜視図である。なお、第３実施形態において、後述する中継ユニット２３０及び切換装置２１３以外の構成については第１実施形態と同様であるので、図面に同一の符号を付して説明を省略する。
【０１０４】
図８に示すように、第３実施形態のコピーファクシミリ複合機２７５の内部には、記録紙１００等を搬送するための搬送経路２２４が形成されている。また、この複合機２７５は図略の手差しトレイ及び搬送機構を備えており、この手差しトレイにセットされた記録紙１００等を前記搬送機構によって搬送経路２２４に合流させて画像形成を行うことができるように構成されている。
【０１０５】
また、図８に示すように、第３実施形態の複合機２７５は、搬送経路２２４中に切換装置２１３を備えている。この切換装置２１３は回転部材を備え、この回転部材の回転動作によって搬送経路を切り換えるように構成されている。記録紙１００又は封筒２２０等の記録媒体は、切換装置２１３によって第１搬送経路２２６又は第２搬送経路２２７に振り分けられる。なお、この振分けは、操作パネル７７の入力結果、又は、前記手差しトレイの幅ガイド等に備えられるサイズ検知手段の検知結果に基づいて行われる。例えば、フィニッシャ９９による後処理を行わない旨をユーザが特別に指示した場合、封筒２２０等の特殊紙を手差しトレイにセットして画像形成を行った場合等においては、画像形成後の記録媒体は第２搬送経路２２７に自動的に振り分けられるように構成されている。
【０１０６】
第３実施形態の中継ユニット２３０は、前記切換装置２１３によって第２搬送経路２２７へと振り分けられた封筒２２０等をスタックするための排出面２４９を備えている。図８及び図９に示すように、この排出面２４９は前記横壁部４８の上側を覆うように形成されており、上ガイド部３１の上方に配置される。第２搬送経路２２７を搬送されてきた封筒２２０等は、排紙ローラ２２５によって排出口２８７から排出面２４９上に排出される。
【０１０７】
切換装置２１３によって第１搬送経路２２６へ振り分けられた記録紙１００は、中継ユニット２３０を経てフィニッシャ９９へと搬送される。この中継ユニット２３０からフィニッシャ９９への搬送は第１実施形態と同様であるので説明を省略する。
【０１０８】
次に、中継ユニット２３０が備える引出機構２１０について説明する。引出機構２１０は、中継ユニット２３０の排出面２４９に排出された封筒２２０等を装置正面側に引き出すためのものである。図９に示すように、引出機構２１０は、引出壁２１１と、操作具２１２と、引出壁２１１と操作具２１２とを連結する連結部材２１５と、この連結部材２１５をスライド可能に保持する引出スライド溝２１６と、を備える。
【０１０９】
引出壁２１１は、排出口２８７において排出面２４９近傍箇所から上方に突出するように配置された板状の部材として構成されており、排出面２４９上の記録媒体（封筒２２０等）に接触可能な接触面を有している。引出スライド溝２１６は排出面２４９に形成された直線状の溝として形成されており、細長く形成された前記連結部材２１５を内部に収納可能に構成されている。連結部材２１５の一端には前記引出壁２１１が固定され、他端には前記操作具２１２が固定されている。操作具２１２は、排出面２４９の装置正面側の端部に配置されている。
【０１１０】
この構成で、引出機構２１０の引出壁２１１は、未使用時は装置奥側に位置している。そして、封筒２２０等が排出面２４９上に排出された場合、ユーザは図９の鎖線に示すように、操作具２１２を掴んで装置正面側に引き出す。すると、これに連動して引出壁２１１が装置正面側に移動するので、排出面２４９上の封筒２２０等が引出壁２１１の接触面により押圧され、装置正面側に押し出される。
【０１１１】
このように、本実施形態ではユーザが装置に手を差し入れることなく、操作具２１２を正面側へ引く簡単な操作で封筒２２０等を奥から正面側へ引き寄せて容易に取り出すことができる。この構成は、排出面２４９の上方の空間を広く確保することがスペースの関係で困難である場合に特に好適である。
【０１１２】
以上に示したように、第３実施形態の中継ユニット２３０は、フィニッシャ９９に搬送されない封筒２２０等（記録媒体）が排出される排出面２４９を上面に備える。
【０１１３】
この構成により、フィニッシャ９９へ搬送されない記録紙１００の排出面２４９を中継ユニット２３０が有することになるので、装置構成をシンプルにするとともに、省スペース化を達成することができる。
【０１１４】
また、第３実施形態の中継ユニット２３０は、排出面２４９に排出された封筒２２０等を装置正面側に引き出すための引出機構２１０を備える。
【０１１５】
この構成により、封筒等の特殊紙が排出面２４９の奥側に排出されたとしても、容易に装置正面側に引き出して取り出すことができる。
【０１１６】
以上に本発明の好適な実施形態を説明したが、上記の構成は更に以下のように変更することができる。
【０１１７】
第１実施形態及び第３実施形態の開閉機構３４は、上ガイド部３１を固定側とする一方、下ガイド部３２を移動側としているが、この構成に限定されない。即ち、上ガイド部３１を移動側として下ガイド部３２を固定側とする構成、又は、上ガイド部３１及び下ガイド部３２をともに移動側とする構成に変更することができる。
【０１１８】
第１実施形態の下ガイド部３２を引っ張るバネ４３を省略することができる。この場合、より簡素な構成で中継ユニットを実現することができる。また、第２実施形態の開閉機構１３４に第１実施形態で用いたバネを追加する構成とすることもできる。
【０１１９】
スライド溝４１の形状は、上記実施形態で説明したものに限定されない。例えば、傾斜部６１を直線状でなく円弧状の傾斜部に変更することができる。また、前記傾斜部６１の代わりに垂直溝と水平溝を有する構成に変更することができる。この場合、下ガイド部３２をいったん下方へ引き下げた後に手前へ引き出すことで、当該下ガイド部３２を使用位置から開放位置へ移動させることができる。
【０１２０】
また、上記実施形態では、下ガイド部３２の上流側及び下流側の端部に支持軸４２を２本ずつ備える構成であるが、この構成に限定されない。例えば、支持軸４２を下ガイド部の上流側端部及び下流側端部に１本ずつ備え、この１本の支持軸に対応するスライド溝によって下ガイド部３２を移動させる構成とすることもできる。また、移動させるガイド部が３本以上の支持軸を備え、この支持軸に対応させるスライド溝によって前記支持軸を構成することもできる。
【０１２１】
凸部６３はスライド溝４１に設けることに代えて、例えば下ガイド部３２の本体に直接係合可能となるようにフレーム３３に固定した凸部として構成することができる。
【０１２２】
スライド溝４１をフレーム３３側に設け、下ガイド部３２に支持軸４２を設ける代わりに、スライド溝を下ガイド部に設け、支持軸をフレーム側に設ける構成に変更することができる。
【０１２３】
上記実施形態の複合機７５は、後付け型のオプション装置としてのフィニッシャ９９及び中継ユニット３０を付加的に備えた構成となっているが、これに代えて、フィニッシャ及び中継ユニットを当初から備える複合機として構成することもできる。
【図面の簡単な説明】
【０１２４】
【図１】本発明の第１実施形態に係る画像形成装置としてのコピーファクシミリ複合機の正面図。
【図２】第１実施形態の中継ユニットの使用状態を示す斜視図。
【図３】中継ユニットの移動過程を示す斜視図。
【図４】中継ユニットの内部を開放した状態を示す斜視図。
【図５】中継ユニットの背面の様子を示す斜視図。
【図６】スライド溝に配置される凸部の様子を示す拡大斜視図。
【図７】第２実施形態の中継ユニットの側面の様子を示す側面図。
【図８】第３実施形態のコピーファクシミリ複合機の一部を示す拡大正面図。
【図９】第３実施形態の中継ユニットの様子を示す斜視図。
【符号の説明】
【０１２５】
３０  中継ユニット（記録媒体搬送装置）
３１  上ガイド部（第１ガイド部）
３２  下ガイド部（第２ガイド部、スライドガイド部）
３３  フレーム（本体）
３４  開閉機構
３５  駆動ローラ
３６  従動ローラ
４１  スライド溝
４２  支持軸
７５  コピーファクシミリ複合機（後処理機能付き画像形成装置）
９９  フィニッシャ（後処理装置）
１００  記録紙（記録媒体）
【図１】
2010023942.tif 000003
【図２】
2010023942.tif 000004
【図３】
2010023942.tif 000005
【図４】
2010023942.tif 000006
【図５】
2010023942.tif 000007
【図６】
2010023942.tif 000008
【図７】
2010023942.tif 000009
【図８】
2010023942.tif 000010
【図９】
2010023942.tif 000011